(57)【特許請求の範囲】
【請求項１】
イミダゾール類、トリアジン類、及びこれらの混合物から選択される有機ＵＶフィルター化合物の、ディーゼル燃料組成物における燃焼改善剤としての使用であって、
前記ディーゼル燃料組成物が、
（ａ）内燃エンジンにおいて用いるのに好適なディーゼル基燃料；
（ｂ）液体燃料組成物の重量基準で１０ｐｐｍｗ〜２重量％の範囲の、イミダゾール類、トリアジン類、及びこれらの混合物から選択される１種類以上の有機ＵＶフィルター化合物；
を含み、
前記イミダゾール類が、ジナトリウムフェニルジベンジルイミダゾールテトラスルホネート、エチルヘキシルジメトキシベンジリデンジオキソイミダゾリンプロピオネート、フェニルベンズイミダゾールスルホン酸、及びこれらの混合物から選択され、
前記トリアジン類が、ビスエチルヘキシルオキシフェノールメトキシフェニルトリアジン、ビスベンゾオキサゾリルフェニルエチルヘキシルアミノ、及びこれらの混合物から選択されるフェニルトリアジン類である、前記使用。
【請求項２】
ディーゼル燃料組成物の着火遅れを調整する目的の、請求項１に記載の有機ＵＶフィルター化合物の使用。
【請求項３】
ディーゼル燃料組成物の燃焼期間を調整する目的の、請求項１に記載の有機ＵＶフィルター化合物の使用。
【請求項４】
ディーゼル燃料組成物のセタン価を増加させる目的の、請求項１に記載の有機ＵＶフィルター化合物の使用。
【請求項５】
（ａ）内燃エンジンにおいて用いるのに好適なディーゼル基燃料；
（ｂ）ディーゼル燃料組成物の重量基準で１０ｐｐｍｗ〜２重量％の範囲の、イミダゾール類、トリアジン類、及びこれらの混合物から選択される１種類以上の有機ＵＶフィルター化合物；
を含み、
前記イミダゾール類が、ジナトリウムフェニルジベンジルイミダゾールテトラスルホネート、エチルヘキシルジメトキシベンジリデンジオキソイミダゾリンプロピオネート、フェニルベンズイミダゾールスルホン酸、及びこれらの混合物から選択され、
前記トリアジン類が、ビスエチルヘキシルオキシフェノールメトキシフェニルトリアジン、ビスベンゾオキサゾリルフェニルエチルヘキシルアミノ、及びこれらの混合物から選択されるフェニルトリアジン類である、ディーゼル燃料組成物。
【発明の詳細な説明】
【技術分野】
【０００１】
本発明は、液体燃料組成物、特に改善された燃料燃焼性及び増加したセタン価を有する液体燃料組成物に関する。
【背景技術】
【０００２】
燃料組成物のセタン価は、その着火容易性及び燃焼性の尺度である。より低いセタン価の燃料を用いると、圧縮着火（ディーゼル）エンジンは始動するのがより困難である傾向があり、低温時にはより多く騒音を出して運転される可能性があり；これとは逆に、より高いセタン価の燃料は、より容易な冷間時始動を与え、エンジンの騒音を低下させ、不完全燃料によってその後に生じる白煙（低温スモーク）を軽減する傾向がある。
【０００３】
したがって、ディーゼル燃料組成物は高いセタン価を有することが一般的に好ましく、排ガス法が益々厳しくなるにつれてこの好適さはより強くなり、したがって自動車のディーゼル仕様は一般に最低セタン価を定めている。この目的のために、多くのディーゼル燃料組成物には、セタン増加剤又はセタン（価）向上剤／増強剤としても知られる着火改善剤を含ませて、かかる仕様の順守を確保し、一般に燃料の燃料特性を改善している。
【０００４】
燃料における着火促進剤としてかなりの間有機ナイトレートが知られており、幾つかはディーゼル燃料のセタン価を増加させることも知られている。おそらく、最も通常的に用いられているディーゼル燃料着火改善剤は２−エチルヘキシルナイトレート（２−ＥＨＮ）であり、これはそれを加える燃料の着火遅れを短くすることによって機能する。
【０００５】
しかしながら、２−ＥＨＮはまたラジカル開始剤でもあり、燃料の熱安定性に対して潜在的に悪影響を与える可能性がある。劣った熱安定性により、ガム、ラッカー、及び他の不溶種のような不安定反応の生成物が増加する。これらの生成物はエンジンフィルターを閉塞し、燃料噴射装置及びバルブを詰まらせる可能性があり、その結果、エンジン効率又は排ガス制御の損失を引き起こす可能性がある。
【０００６】
燃焼改善剤及び／又はセタン価向上剤として従来技術において記載されている有機ナイトレートは、一連の欠点、特に熱安定性の欠如、過度に高い揮発性、及び不十分な有効性を有する。しかしながら、例えばより高い分子量の分子を用いることによってセタン向上剤の揮発性を減少させることにより、燃焼改善剤及び／又はセタン価向上剤としてのその有効性が低下する可能性があることが予測できる。
【０００７】
また、強い酸化剤であり、その純粋形態で易燃焼性でもある２−ＥＨＮを使用することに関係する健康上及び安全上の懸念も存在する。またこれは、分解する傾向があり、このために潜在的に爆発性の混合物を形成する傾向があるので、濃縮形態で貯蔵することは困難である可能性もある。更に、２−ＥＨＮは温和なエンジン条件下で最も有効に機能することが指摘されている。
【０００８】
これらの欠点は、２−ＥＨＮを添加剤として燃料組成物中に導入するしばしば高いコストと一緒に考慮すると、許容しうる燃焼特性を同時に維持しながら、ディーゼル燃料組成物中における２−ＥＨＮ及び他の公知のセタン価向上剤の必要性を減少又は排除することが一般に望ましいであろうことを意味する。
【０００９】
ＣＮ−１０１９２１６３８Ａにおいては、洗浄剤成分の１つとして５〜２０重量％のアルキルイミダゾールを含む洗浄剤添加剤が開示されており、この添加剤はディーゼル燃料用であるが、どのような量であるかは明らかでない。ＵＳ−４８５７０７３Ａにおいては、無灰洗浄剤の目的で、且つ湿分を減少させ、エンジン内の錆及び腐食を阻止する成分としてディーゼル燃料組成物中において少量で用いる添加剤組成物中において約１重量％のトールオイル脂肪イミダゾリンを用いることが開示されている。ＵＳ−３０６３８１９Ａは、主として航空機用燃料のような燃料における氷の形成を減少させることに関するが、それに付随して、防錆剤としてＮ，Ｃ−二置換イミダゾリン類を用いることが言及されている。ＣＮ−１０２９７７９４８Ａにおいては、メタノールのための可溶化剤としてヒドラジン化合物及びグアニジン化合物に対して特定の重量比でアゾール化合物を用いることが開示されている。
【先行技術文献】
【特許文献】
【００１０】
【特許文献１】ＣＮ−１０１９２１６３８Ａ
【特許文献２】ＵＳ−４８５７０７３Ａ
【特許文献３】ＵＳ−３０６３８１９Ａ
【特許文献４】ＣＮ−１０２９７７９４８Ａ
【発明の概要】
【発明が解決しようとする課題】
【００１１】
したがって、本発明の目的は、燃焼改善剤又はセタン価向上剤として有効であるセタン向上剤を提供することである。
【課題を解決するための手段】
【００１２】
ここで驚くべきことに、有機ＵＶフィルター化合物は、ディーゼル燃料組成物における着火遅れを調整し、及び／又はセタン価を増加させ、及び／又は燃焼期間を調整し、及び／又はピーク圧力を調整するように機能させることができることが見出された。
【００１３】
本発明によれば、
（ａ）内燃エンジンにおいて用いるのに好適なディーゼル基燃料；
（ｂ）イミダゾール類、トリアジン類、トリアゾン類、及びトリアゾール類、並びにこれらの混合物から選択される１種類以上の有機ＵＶフィルター化合物；
を含む液体燃料組成物が提供される。
【００１４】
好適には、有機ＵＶフィルター化合物は、ディーゼル燃料組成物のセタン価を、例えば所望又は目標のセタン価に増加させる効果を有する。好適には、本ディーゼル燃料組成物は、４０以上、５０以上、６０以上、又は７０以上のセタン価を有する。
【００１５】
本発明の他の形態においては、ディーゼル燃料組成物のセタン価を増加させる目的の、ディーゼル燃料組成物中におけるイミダゾール類、トリアジン類、トリアゾン類、及びトリアゾール類、並びにこれらの混合物から選択される有機ＵＶフィルター化合物の使用が提供される。
【００１６】
本発明の他の形態においては、ディーゼル燃料組成物のセタン価を増加させる方法であって、イミダゾール類、トリアジン類、トリアゾン類、及びトリアゾール類、並びにこれらの混合物から選択される所定量の有機ＵＶフィルター化合物を組成物に加えることを含む上記方法が提供される。
【００１７】
本方法には、ディーゼル燃料組成物のセタン価を増加させて目標セタン価を達成することを含ませることができる。
【００１８】
一般に、燃焼改善剤としてのディーゼル燃料組成物中における１種類又はそれ以上の上記の有機ＵＶフィルター化合物の使用が提供される。
【００１９】
本発明の使用及び方法は、更には又は或いは、セタン価に相当するか又はこれに関係する燃料組成物の任意の特性を調整して、例えば燃料組成物の燃焼性能を向上させ、例えば着火遅れ（即ち、燃料の使用中における燃焼室内での燃料噴射と着火との間の時間）を調整／短縮して、燃料組成物を用いて運転される燃料を消費するシステムにおける冷間時始動を促進し、又は不完全燃焼及び／又は関連する排ガスを減少させ、及び／又は一般的に燃料経済又は排ガスの排出を改良するために用いることができる。
【００２０】
したがって、本発明の他の形態によれば、ディーゼル燃料組成物の着火遅れを調整するための、ディーゼル燃料組成物中におけるイミダゾール類、トリアジン類、トリアゾン類、及びトリアゾール類、並びにこれらの混合物から選択される有機ＵＶフィルター化合物の使用が提供される。
【００２１】
本発明の他の形態によれば、ディーゼル燃料組成物の着火遅れを調整するための方法であって、イミダゾール類、トリアジン類、トリアゾン類、及びトリアゾール類、並びにこれらの混合物から選択される所定量の有機ＵＶフィルター化合物を組成物に加えることを含む上記方法が提供される。
【００２２】
本発明の他の形態によれば、内燃エンジンに燃料供給するために用いる液体燃料組成物の着火遅れを調整する方法であって、ここに記載する液体燃料組成物を内燃エンジンに燃料供給することを含む上記方法が提供される。
【００２３】
本発明の更に他の形態は、圧縮着火エンジン、及び／又はかかるエンジンによって駆動される乗物を運転する方法であって、ここに記載するディーゼル燃料組成物をエンジンの燃焼室中に導入することを含む上記方法に関する。
【００２４】
本発明の更に他の態様は、ディーゼル燃料組成物の燃焼期間を調整するための、ディーゼル燃料組成物中におけるイミダゾール類、トリアジン類、トリアゾン類、及びトリアゾール類、並びにこれらの混合物から選択される有機ＵＶフィルター化合物の使用に関する。
【００２５】
本発明の他の形態によれば、ディーゼル燃料組成物の燃焼期間を調整する方法であって、イミダゾール類、トリアジン類、トリアゾン類、及びトリアゾール類、並びにこれらの混合物から選択される所定量の有機ＵＶフィルター化合物を組成物に加えることを含む上記方法が提供される。
【００２６】
本発明の他の形態によれば、内燃エンジンに燃料供給するために用いる液体燃料組成物の燃焼期間を調整する方法であって、ここに記載する液体燃料組成物を内燃エンジンに燃料供給することを含む上記方法が提供される。
【００２７】
好適には、有機ＵＶフィルター化合物はまた、本発明のディーゼル燃料組成物によって燃料供給される内燃エンジンの出力及び加速を増加させる効果も有する。
【発明を実施するための形態】
【００２８】
本発明の理解を助けるために、幾つかの用語をここに規定する。
【００２９】
「セタン（価）向上剤」及び「セタン（価）増強剤」という用語は、好適な濃度で燃料組成物に加えると、それぞれの燃料又はエンジンの運転条件内の１以上のエンジン条件下において、燃料組成物のセタン価をその従前のセタン価に対して増加させる効果を有する任意の成分を包含するように互換的に用いられる。本明細書において用いるセタン価向上剤又は増強剤はまた、セタン価増加添加剤／薬剤などと呼ぶこともできる。
【００３０】
本発明によれば、燃料組成物のセタン価は、例えばエンジン運転条件下で得られる所謂「測定」セタン価を与える標準試験手順ＡＳＴＭ−Ｄ６１３（ＩＳＯ−５１６５、ＩＰ−４１）を用いて、任意の公知の方法で求めることができる。より好ましくは、セタン価は、一定容積の燃焼室中へ導入される燃料試料の噴射と燃焼との間の時間遅れに基づく「推定」セタン価を与えるより最近の正確な「着火品質試験）（ＩＱＴ；ＡＳＴＭ−Ｄ６８９０、ＩＰ−４９８）を用いて求めることができる。この比較的迅速な方法は、所定範囲の異なる燃料の実験室スケール（約１００ｍＬ）の試料について用いることができる。
【００３１】
或いは、燃料のセタン価又は推定着火品質は、Fueltech Solutions AS／ノルウェーから得られる燃焼研究ユニット（ＣＲＵ）を用いて試験することができる。燃料は、設定条件として予めコンディショニングされた一定容積の燃焼室中に噴射した。
【００３２】
推定着火品質（ＤＩＱ）は、噴射の開始（ＳＯＩ）から、チャンバー圧力がＳＯＩ前の圧力よりも０．２ｂａｒ高い値に上昇する時点までの時間として記録される着火遅れ（ＩＤ）の関数として求めることができる。推定着火品質（ＤＩＱ）はまた、噴射の開始（ＳＯＩ）から、チャンバー圧力がその初期値＋最大圧力増加（ＭＰＩ）の５％に等しい時点までの時間として記録される着火遅れ（ＩＤ）の関数として求めることもできる。「燃焼期間」は、（ｉ）第１のチャンバー圧力への噴射の開始（ＳＯＩ）；又は（ｉｉ）第１のチャンバー圧力から第２のチャンバー圧力：からの時間として測定され、ここで圧力は最大圧力増加（ＭＰＩ）のパーセントである。
【００３３】
或いは、セタン価は、例えばＵＳ−５３４９１８８に記載されている近赤外分光法（ＮＩＲ）によって測定することができる。この方法は、例えばＡＳＴＭ−Ｄ６１３よりも煩雑でない可能性があるので、精油所環境において好ましい可能性がある。ＮＩＲ測定は、試料の測定されたスペクトルと実際のセタン価との間の相関を用いる。基礎的モデルは、種々の燃料試料の既知のセタン価をそれらの近赤外分光データと相関させることによって形成される。
【００３４】
幾つかの態様においては、本方法／使用は、セタン価を調整するか、又は所望の目標セタン価を達成するか若しくはそれに到達させるために、イミダゾール類、トリアジン類、トリアゾン類、及びトリアゾール類、並びにこれらの混合物から選択される１種類以上の有機ＵＶフィルター化合物を燃料組成物に加えることを包含する。本発明の関連においては、目標セタン価に「到達させる」ことはまた、その数値を超過させることを包含することもできる。而して、目標セタン価は目標の最小セタン価である可能性がある。
【００３５】
本発明は、好適は、５０以上、より好ましくは５１、５２、５３、５４、又は５５以上の推定セタン価（ＩＰ−４９８）を有する燃料組成物を与える。例えば幾つかの態様においては、得られる燃料組成物は、６０以上、６５以上、又は更には７０以上のセタン価を有することができる。
【００３６】
本発明は、更には又は或いは、セタン価と同等であるか又はそれに関係する燃料組成物の任意の特性を調節する、例えば燃料組成物の燃焼性能を改善する、例えば着火遅れ（即ち、燃料の使用中の燃焼室内における燃料噴射と着火との間の時間）を短縮する、冷間始動を容易にする、又は燃料組成物を用いて運転している燃料消費システムにおける不完全燃焼及び／又は関係する排ガスを減少させる、及び／又は一般的に燃料経済又は排ガスを改善するために用いることができる。
【００３７】
本発明はまた、燃焼期間を調整するために用いることもできる。本明細書において用いる「燃焼期間」という用語は、燃焼中に得られる圧力曲線における２つの点の間の時間を意味する。好ましくは、燃焼期間の調整は、任意の次の２つの点： 
（ｉ）噴射の開始（ＳＯＩ）；
（ｉｉ）５％燃焼；
（ｉｉｉ）１０％燃焼；
（ｉｖ）２０％燃焼；
（ｖ）３０％燃焼；
（ｖｉ）４０％燃焼；
（ｖｉｉ）５０％燃焼；
（ｖｉｉｉ）６０％燃焼；
（ｉｘ）７０％燃焼；
（ｘ）８０％燃焼；
（ｘｉ）９０％燃焼；
（ｘｉｉ）１００％燃焼；
の間で行う。
【００３８】
より好ましくは、燃焼の調整は、
（ｉ）ＳＯＩと５％燃焼；
（ｉｉ）ＳＯＩと１０％燃焼；
（ｉｉｉ）１０％燃焼と５０％燃焼；
（ｉｖ）５０％燃焼と９０％燃焼；
（ｖ）１０％燃焼と９０％燃焼；
の間で行う。
【００３９】
本発明のセタン価向上剤は、燃料組成物のセタン価を増加させるために用いることができる。本明細書において用いるセタン価に関する「増加」とは、同じか又は同等の条件下で従前に測定されたセタン価と比べた任意の程度の増加を包含する。而して、この増加は、好適には、セタン価増加（又は向上）成分又は添加剤を含ませる前の同じ燃料組成物のセタン価と比較する。或いは、セタン価の増加は、本発明のセタン価増強剤を含まない他の点は同様の燃料組成物（又はバッチ若しくは同じ燃料組成物）と比較して測定することができる。或いは、比較燃料に関する燃焼性の測定された増加又は着火遅れの測定された減少によって、比較燃料に対する燃料のセタン価の増加を推定することができる。
【００４０】
セタン価の増加（又は、例えば着火遅れの減少）は、任意の好適な方法で、例えば増加若しくは減少パーセントの観点で測定及び／又は報告することができる。例として、増加又は減少パーセントは、少なくとも１％、例えば少なくとも２％にすることができる。好適には、セタン価の増加パーセント又は着火遅れの調整は、少なくとも５％、少なくとも１０％、少なくとも１５％、又は少なくとも２０％である。幾つかの態様においては、セタン価の増加又は着火遅れの調整は、少なくとも２５％、少なくとも３０％にすることができる。しかしながら、どのような他のファクター、例えば利用可能性、コスト、安全性などが重要であるとみなされるかによって、任意の測定しうるセタン価の向上又は着火遅れの調整によって価値のある有利性を与えることができることを認識すべきである。
【００４１】
その中で本発明の燃料組成物を用いるエンジンは、任意の適当なエンジンであってよい。而して、燃料がディーゼル又はバイオディーゼル燃料組成物である場合には、エンジンはディーゼル又は圧縮着火エンジンである。更に、同じか又は同様のエンジンを用いて有機ＵＶフィルター化合物を用いる場合及び用いない場合のセタン価／着火遅れ／燃焼期間を測定するならば、ターボチャージディーゼルエンジンのような任意のタイプのディーゼルエンジンを用いることができる。同様に、本発明は任意の乗物におけるエンジンに適用できる。一般に、本発明において用いる有機ＵＶフィルター化合物は、広範囲のエンジン運転条件にわたって用いるのに好適である。しかしながら、本発明において用いる幾つかの有機ＵＶフィルター化合物は、温和な条件下、及びより好適には厳しい条件下のような特定の狭い範囲エンジン運転条件下で最適の効果を与えることができる。
【００４２】
本発明の液体燃料組成物は、内燃エンジンにおいて用いるのに好適なディーゼル基燃料、並びにイミダゾール類、トリアジン類、トリアゾン類、及びトリアゾール類、並びにこれらの混合物から選択される１種類以上のＵＶフィルター化合物を含む。したがって、本発明の液体燃料組成物はディーゼル組成物である。
【００４３】
本発明のガソリン組成物において用いるための１種類以上の有機ＵＶフィルター化合物は、イミダゾール類、トリアジン類、トリアゾン類、及びトリアゾール類、並びにこれらの混合物から選択される。
【００４４】
好適なイミダゾール類としては、ジナトリウムフェニルジベンジルイミダゾールテトラスルホネート（SymriseからNeoheliopan APの商品名で商業的に入手できる）、エチルヘキシルジメトキシベンジリデンジオキソイミダゾリンプロピオネート、フェニルベンズイミダゾールスルホン酸（DSMからParsol HSの商品名で商業的に入手できる）、及びこれらの混合物が挙げられるが、必ずしもこれらに限定されない。
【００４５】
好適なトリアジン類としては、フェニルトリアジン類、例えばビスエチルヘキシルオキシフェノールメトキシフェニルトリアジン（BASFからTinasorb Sの商品名で商業的に入手できる）、ビスベンゾオキサゾイルフェニルエチルヘキシルアミノトリアジン（3V SigmaからUvasorb K2Aの商品名で商業的に入手できる）、及びこれらの混合物が挙げられるが、必ずしもこれらに限定されない。
【００４６】
好適なトリアゾール類としては、ドロメトリゾール（BASFからTinuvin Pの商品名で商業的に入手できる）、及びエチレンビスベンゾトリアゾリルテトラメチルブチルフェノール（BASFからTinosorb Mの商品名で商業的に入手できる）、及びこれらの混合物が挙げられるが、必ずしもこれらに限定されない。
【００４７】
好適なトリアゾン類としては、ジエチルヘキシルブタミドトリアゾン（3V SigmaからUvasorb HEBの商品名で商業的に入手できる）、エチルヘキシルトリアゾン（BASFからUvinul T150の商品名で商業的に入手できる）、及びこれらの混合物が挙げられるが、必ずしもこれらに限定されない。
【００４８】
液体燃料組成物中における１種類以上の有機ＵＶフィルター化合物の量は、好適には液体燃料組成物の重量基準で最大で２重量％である。１種類以上の有機ＵＶフィルター化合物の量は、好適には液体燃料組成物の重量基準で少なくとも１０ｐｐｍｗである。１種類以上の有機ＵＶフィルター化合物の量は、好ましくは、液体燃料組成物の重量基準で１重量％〜０．００５重量％の範囲、より好ましくは０．５重量％〜０．０１重量％の範囲、更により好ましくは０．０５重量％〜０．０１重量％の範囲である。
【００４９】
２種類以上の有機ＵＶフィルター化合物の組合せを燃料組成物中において用いる場合には、同じ濃度範囲を有機ＵＶフィルター化合物の組合せの全体に適用することができる。量／濃度はｐｐｍとして表すこともでき、この場合には１％ｗ／ｗは１０，０００ｐｐｍｗ／ｗに相当することが認識される。
【００５０】
有機ＵＶフィルター化合物は、任意の他の添加剤、例えば１つ又は複数の添加剤性能パッケージと一緒にブレンドして添加剤ブレンドを形成することができる。次に、添加剤ブレンドを基燃料に加えて液体燃料組成物を製造する。添加剤ブレンド中における有機ＵＶフィルター化合物の量は、添加剤ブレンドの重量基準で、好ましくは０．１〜９９．８重量％の範囲、より好ましくは５〜７０重量％の範囲である。
【００５１】
添加剤ブレンド中における１つ又は複数の性能パッケージの量は、添加剤ブレンドの重量基準で、好ましくは０．１〜９９．８重量％の範囲、より好ましくは５〜５０重量％の範囲である。
【００５２】
好ましくは、本発明の液体燃料組成物中に存在させる性能パッケージの量は、液体燃料組成物の全重量を基準として１５ｐｐｍｗ（重量ｐｐｍ）〜１０重量％の範囲である。より好ましくは、本発明の液体燃料組成物中に存在させる性能パッケージの量は、更に、下記に示すパラメーター（ｉ）〜（ｘｖ）：
（ｉ）少なくとも１００ｐｐｍｗ；
（ｉｉ）少なくとも２００ｐｐｍｗ；
（ｉｉｉ）少なくとも３００ｐｐｍｗ；
（ｉｖ）少なくとも４００ｐｐｍｗ；
（ｖ）少なくとも５００ｐｐｍｗ；
（ｖｉ）少なくとも６００ｐｐｍｗ；
（ｖｉｉ）少なくとも７００ｐｐｍｗ；
（ｖｉｉｉ）少なくとも８００ｐｐｍｗ；
（ｉｘ）少なくとも９００ｐｐｍｗ；
（ｘ）少なくとも１０００ｐｐｍｗ；
（ｘｉ）少なくとも２５００ｐｐｍｗ；
（ｘｉｉ）少なくとも５０００ｐｐｍｗ；
（ｘｉｉｉ）少なくとも１００００ｐｐｍｗ；
（ｘｉｖ）最大で２重量％；
（ｘｖ）最大で５重量％；
の１以上と合致する。
【００５３】
通常は、有機ＵＶフィルター化合物及び添加剤（性能）パッケージを含む添加剤ブレンドには、洗浄剤、消泡剤、腐食抑制剤、防曇剤等のような他の添加剤成分を更に含ませることができる。或いは、有機ＵＶフィルター化合物は基燃料と直接ブレンドすることができる。
【００５４】
組成物の残りは、通常は、１種類以上の自動車基燃料、並びに場合によっては例えば下記により詳細に記載する１種類以上の燃料添加剤から構成される。
【００５５】
本発明にしたがって製造されるディーゼル燃料組成物中に存在させる１種類以上の有機サンスクリーン化合物、燃料成分、及び任意の他の成分又は添加剤の相対割合は、密度、排出性能、及び粘度のような他の所望の特性によっても左右される可能性がある。
【００５６】
本発明において基燃料として用いるディーゼル燃料としては、自動車用圧縮着火エンジン、並びにオフロード、船舶、鉄道、及び定置エンジンのような他のタイプのエンジンにおいて用いるためのディーゼル燃料が挙げられる。本発明の液体燃料組成物において基燃料として用いるディーゼル燃料は、通常は「ディーゼル基燃料」とも呼ぶことができる。
【００５７】
ディーゼル基燃料それ自体は２種類以上の異なるディーゼル燃料成分の混合物を含んでいてよく、及び／又は下記に記載するように添加処理することができる。
【００５８】
通常は、ディーゼル基燃料は、ディーゼル又は液体燃料組成物中において主要量、例えば液体燃料組成物の５０重量％より多い量で存在し、９０重量％、又は９５重量％、又は９９重量％、又は９９．９重量％、又は９９．９９重量％、或いは９９．９９９重量％までの量で存在させることができる。好適には、液体燃料組成物は、ディーゼル基燃料、並びに１種類以上の有機ＵＶフィルター化合物、及び場合によっては下記において規定するような１種類以上の通常のディーゼル燃料添加剤を含むか、又はこれらから実質的に構成される。
【００５９】
かかるディーゼル燃料は１種類以上の基燃料を含み、これには、通常は１種類又は複数の液体炭化水素中間留分軽油、例えば石油系の軽油を含ませることができる。かかる燃料は、通常は、グレード及び用途に応じて１５０〜４００℃の通常のディーゼル範囲内の沸点を有する。これらは、通常は７５０〜１０００ｋｇ／ｍ３、好ましくは７８０〜８６０ｋｇ／ｍ３の１５℃における密度（例えば、ＡＳＴＭ−Ｄ４５０２又はＩＰ−３６５）、並びに３５〜１２０、より好ましくは４０〜８５のセタン価（ＡＳＴＭ−Ｄ６１３）を有する。これらは、通常は１５０〜２３０℃の範囲の初留点、及び２９０〜４００℃の範囲の終点を有する。これらの４０℃における動粘度（ＡＳＴＭ−Ｄ４４５）は、好適には１．２〜４．５ｍｍ２／秒である可能性がある。
【００６０】
石油系の軽油の例は、１５℃において８００〜８２０ｋｇ／ｍ３（ＳＳ−ＥＮ−ＩＳＯ−３６７５、ＳＳ−ＥＮ−ＩＳＯ−１２１８５）の密度、３２０℃以下のＴ９５（ＳＳ−ＥＮ−ＩＳＯ−３４０５）、及び１．４〜４．０ｍｍ２／秒の４０℃における動粘度（ＳＳ−ＥＮ−ＩＳＯ−３１０４）を有する、スウェーデン国内仕様ＥＣ１によって規定されるスウェーデンクラス１基燃料である。
【００６１】
場合によっては、バイオ燃料又はフィッシャー・トロプシュ誘導燃料のような非鉱物油基燃料も、ディーゼル燃料を形成するか、又はその中に存在させることができる。かかるフィッシャー・トロプシュ燃料は、例えば、天然ガス、天然ガス液体、石油又はシェールオイル、石油又はシェールオイル処理残渣、石炭、或いはバイオマスから誘導することができる。
【００６２】
ディーゼル燃料中において用いるフィッシャー・トロプシュ誘導燃料の量は、ディーゼル燃料全体の０体積％〜１００体積％、好ましくは５体積％〜１００体積％、より好ましくは５体積％〜７５体積％であってよい。かかるディーゼル燃料は、１０体積％以上、より好ましくは２０体積％以上、更により好ましくは３０体積％以上のフィッシャー・トロプシュ誘導燃料を含むことが望ましい可能性がある。かかるディーゼル燃料は、３０〜７５体積％、特に３０〜７０体積％のフィッシャー・トロプシュ誘導燃料を含むことが特に好ましい。ディーゼル燃料の残りは、１種類以上の他のディーゼル燃料成分で構成される。
【００６３】
かかるフィッシャー・トロプシュ誘導燃料成分は、（場合によっては水素化分解した）フィッシャー・トロプシュ合成生成物から単離することができる中間留分燃料範囲の任意のフラクションである。通常のフラクションは、ナフサ、灯油、又は軽油範囲の沸点を有する。好ましくは、灯油又は軽油範囲の沸点を有するフィッシャー・トロプシュ生成物を用いる。これは、これらの生成物は例えば国内環境で取り扱うのがより容易であるからである。かかる生成物は、好適には、９０重量％より多い、１６０〜４００℃の間、好ましくは約３７０℃までの沸点を有するフラクションを含む。フィッシャー・トロプシュ誘導灯油及び軽油の例は、ＥＰ−Ａ−０５８３８３６、ＷＯ−Ａ−９７／１４７６８、ＷＯ−Ａ−９７／１４７６９、ＷＯ−Ａ−００／１１１１６、ＷＯ−Ａ−００／１１１１７、ＷＯ−Ａ−０１／８３４０６、ＷＯ−Ａ−０１／８３６４８、ＷＯ−Ａ−０１／８３６４７、ＷＯ−Ａ−０１／８３６４１、ＷＯ−Ａ−００／２０５３５、ＷＯ−Ａ−００／２０５３４、ＥＰ−Ａ−１１０１８１３、ＵＳ−Ａ−５７６６２７４、ＵＳ−Ａ−５３７８３４８、ＵＳ−Ａ−５８８８３７６、及びＵＳ−Ａ−６２０４４２６に記載されている。
【００６４】
フィッシャー・トロプシュ生成物は、好適には８０重量％より多く、より好適には９５重量％より多いイソ及びｎ−パラフィン、並びに１重量％未満の芳香族化合物を含み、残りはナフテン系化合物である。イオウ及び窒素の含量は非常に低く、通常はかかる化合物に関する検出限界以下である。この理由のために、フィッシャー・トロプシュ生成物を含むディーゼル燃料組成物のイオウ含量は非常に低くすることができる。
【００６５】
ディーゼル燃料組成物は、好ましくは５０００ｐｐｍｗ以下のイオウ、より好ましくは５００ｐｐｍｗ以下、又は３５０ｐｐｍｗ以下、又は１５０ｐｐｍｗ以下、又は１００ｐｐｍｗ以下、又は７０ｐｐｍｗ以下、又は５０ｐｐｍｗ以下、又は３０ｐｐｍｗ以下、又は２０ｐｐｍｗ以下、或いは最も好ましくは１０ｐｐｍｗ以下のイオウを含む。
【００６６】
本発明において用いるための他のディーゼル燃料成分としては、生物材料から誘導される所謂「バイオ燃料」が挙げられる。例としては、脂肪酸アルキルエステル（ＦＡＡＥ）が挙げられる。かかる成分の例は、ＷＯ−２００８／１３５６０２において見ることができる。
【００６７】
ディーゼル基燃料は、それ自体添加処理する（添加剤を含む）か、又は添加処理しない（添加剤を含まない）ことができる。例えば精油所において添加処理する場合には、これは、例えば静電防止剤、パイプライン抵抗減少剤、流動性向上剤（例えばエチレン／酢酸ビニルコポリマー、又はアクリレート／無水マレイン酸コポリマー）、潤滑添加剤、酸化防止剤、及びワックス沈降防止剤から選択される少量の１種類以上の添加剤を含む。
【００６８】
洗浄剤を含むディーゼル燃料添加剤は公知であり、商業的に入手できる。かかる添加剤は、エンジン付着物の蓄積を減少、除去、又は遅延させることを意図するレベルでディーゼル燃料に加えることができる。
【００６９】
本目的のためにディーゼル燃料添加剤において用いるのに好適な洗浄剤の例としては、ポリオレフィン置換スクシンイミド又はポリアミンのスクシンアミド、例えばポリイソブチレンスクシンイミド、又はポリイソブチレンアミンスクシンアミドが挙げられる。スクシンイミド分散添加剤は、例えばＧＢ−Ａ−９６０４９３、ＥＰ−Ａ−０１４７２４０、ＥＰ−Ａ−０４８２２５３、ＥＰ−Ａ−０６１３９３８、ＥＰ−Ａ−０５５７５１６、及びＷＯ−Ａ−９８／４２８０８に記載されている。ポリイソブチレンスクシンイミドのようなポリオレフィン置換スクシンイミドが特に好ましい。
【００７０】
本目的のためにディーゼル燃料添加剤において用いるのに好適な洗浄剤の他の例としては、８５〜２０，０００の数平均分子量（Ｍｎ）を有する少なくとも１つの疎水性炭化水素基、並びに
（Ａ１）その少なくとも１つの窒素原子は塩基性を有する６個以下の窒素原子を有するモノ又はポリアミノ基；及び／又は
（Ａ９）置換フェノール類とアルデヒド及びモノ又はポリアミンとのMannich反応によって得られる基；
から選択される少なくとも１つの極性基を有する化合物が挙げられる。
【００７１】
本目的のためにディーゼル燃料添加剤において用いるのに好適な他の洗浄剤としては、ＵＳ２０１２／０１０２８２６、ＵＳ２０１２／００１０１１２、ＷＯ２０１１／１４９７９９、ＷＯ２０１１／１１０８６０、ＷＯ２０１１／０９５８１９、及びＷＯ２００６／１３５８８１において開示されているもののような第４級アンモニウム塩が挙げられる。
【００７２】
ディーゼル燃料添加剤混合物には、洗浄剤に加えて他の成分を含ませることができる。例は、潤滑性向上剤；防曇剤、例えばアルコキシル化フェノールホルムアルデヒドポリマー；消泡剤（例えばポリエーテル変性ポリシロキサン）；着火改善剤（セタン向上剤）（例えば、２−エチルヘキシルナイトレート（ＥＨＮ）、シクロヘキシルナイトレート、ジ−ｔｅｒｔ−ブチルペルオキシド、ＷＯ９６／０３３９７及びＷＯ９９／３２５８４において開示されているペルオキシド化合物、及びＵＳ−Ａ−４２０８１９０の２欄２７行〜３欄２１行に開示されている着火改善剤）；防錆剤（例えば、テトラプロペニルコハク酸のプロパン−１，２−ジオールセミエステル、或いはそのα−炭素原子の少なくとも１つの上に２０〜５００個の炭素原子を含む非置換又は置換脂肪族炭化水素基を有するコハク酸誘導体の多価アルコールエステル、例えばポリイソブチレン−置換コハク酸のペンタエリトリトールジエステル）；腐食抑制剤；消臭剤；耐摩耗添加剤：酸化防止剤（例えば、２，６−ジ−ｔｅｒｔ−ブチルフェノールのようなフェノール類、又はＮ，Ｎ’−ジ−ｓｅｃ−ブチル−ｐ−フェニレンジアミンのようなフェニレンジアミン類）；金属不活性化剤；燃焼改善剤；静電気放散剤：低温流動向上剤；有機サンスクリーン化合物、及びワックス沈降防止剤；である。
【００７３】
ディーゼル燃料添加剤混合物には、ヨーロッパ特許出願１２１９９１１９．４において開示されているもののような１種類以上の有機サンスクリーン化合物を含ませることができる。
【００７４】
それがディーゼル組成物中において用いるのに好適である限りにおいて、ディーゼル燃料添加剤混合物中において用いることができる有機サンスクリーン化合物のタイプに対して特に制限はない。
【００７５】
広範囲の通常の有機サンスクリーン活性物質が、本発明において用いるのに好適である。
Sagarinらは、Cosmetics Science and Technology (1972)のVIII章, p.189以降において数多くの好適な活性物質を開示している。
【００７６】
本発明の組成物中において有用な特に好ましい疎水性有機サンスクリーン活性物質としては、（ｉ）アルキルβ，β−ジフェニルアクリレート、及び／又はα−シアノ−β，β−ジフェニルアクリレート誘導体；（ｉｉ）サリチル酸誘導体；（ｉｉｉ）桂皮酸誘導体；（ｉｖ）ジベンゾイルメタン誘導体；（ｖ）カンファー誘導体；（ｖｉ）ベンゾフェノン誘導体；（ｖｉｉ）ｐ−アミノ安息香酸誘導体；及び（ｖｉｉｉ）フェナルキルベンゾエート誘導体；並びにこれらの混合物が挙げられる。
【００７７】
好ましいα−シアノ−β，β−ジフェニルアクリレート誘導体としては、２−シアノ−３，３−ジフェニルアクリル酸エチル、２―シアノ−３，３−ジフェニルアクリル酸２−エチルヘキシル、及びこれらの混合物が挙げられる。より好ましくは、α−シアノ−β，β−ジフェニルアクリレート誘導体は、２−シアノ−３，３−ジフェニルアクリル酸２−エチルヘキシル（その国際的な一般名はオクトクリレンである）である。２−シアノ−３，３−ジフェニルアクリル酸２−エチルヘキシルは、DSM Nutritional Products, Inc.からParsol 340（登録商標）の商品名で商業的に入手できる。
【００７８】
好ましいサリチル酸誘導体としては、サリチル酸エチルヘキシル（サリチル酸オクチル）、サリチル酸トリエタノールアミン、サリチル酸３，３，５−トリメチルシクロヘキシル、サリチル酸ホモメンチル、及びこれらの混合物が挙げられる。より好ましくは、サリチル酸誘導体はサリチル酸エチルヘキシルである。サリチル酸エチルヘキシルは、DSM Nutritional Products, Inc.からParsol EHS（登録商標）の商品名で商業的に入手できる。
【００７９】
好ましい桂皮酸誘導体は、メトキシ桂皮酸オクチル、メトキシ桂皮酸ジエタノールアミン、及びこれらの混合物から選択される。本発明において用いるのに特に好ましい桂皮酸誘導体は、メトキシ桂皮酸オクチルである。メトキシ桂皮酸オクチルは、DSM Nutritional Products, Inc.からParsol MCX（登録商標）の商品名で商業的に入手できる。
【００８０】
本発明において用いるのに好ましいジベンゾイルメタン誘導体は、ブチルメトキシジベンゾイルメタン、エチルヘキシルメトキシジベンゾイルメタン、イソプロピルジベンゾイルメタン、及びこれらの混合物から選択される。本発明において用いるのに特に好ましいジベンゾイルメタン誘導体は、ブチルメトキシジベンゾイルメタンである。ブチルメトキシジベンゾイルメタンは、DSM Nutritional Products, Inc.からParsol 1789（登録商標）の商品名で商業的に入手できる。
【００８１】
本発明において用いるのに好ましいカンファー誘導体は、４−メチルベンジリデンカンファーである。４−メチルベンジリデンカンファーは、DSM Nutritional Products, Inc.からParsol 5000（登録商標）の商品名で商業的に入手できる。
【００８２】
本発明において用いるのに好ましいベンゾフェノン誘導体は、ベンゾフェノン−１、ベンゾフェノン−２、ベンゾフェノン−３、ベンゾフェノン−４、ベンゾフェノン−５、ベンゾフェノン−６、ベンゾフェノン−７、ベンゾフェノン−８、ベンゾフェノン−９、ベンゾフェノン−１０、ベンゾフェノン−１１、ベンゾフェノン−１２、及びこれらの混合物から選択される。本発明において用いるのに特に好ましいベンゾフェノン誘導体は、ベンゾフェノン−３である。ベンゾフェノン−３は、Ashland Specialty IngredientsからEscalol 567（登録商標）の商品名で商業的に入手できる。
【００８３】
本発明において用いるのに好ましいフェナルキルベンゾエート誘導体は、フェネチルベンゾエートである。フェネチルベンゾエートは、Ashland Specialty IngredientsからX-tend 229（登録商標）の商品名で商業的に入手できる。
【００８４】
液体燃料組成物中における１種類以上の有機サンスクリーン化合物の量は、好適には液体燃料組成物の重量基準で最大で２重量％である。１種類以上の有機サンスクリーン化合物の量は、好適には、液体燃料組成物の重量基準で少なくとも１０ｐｐｍｗである。１種類以上の有機サンスクリーン化合物の量は、液体燃料組成物の重量基準で、好ましくは１重量％〜０．００５重量％の範囲、より好ましくは０．５重量％〜０．０１重量％の範囲、更により好ましくは０．０５重量％〜０．０１重量％である。
【００８５】
ディーゼル燃料添加剤混合物には、特にディーゼル燃料組成物が低い（例えば５００ｐｐｍｗ以下の）イオウ含量を有する場合に潤滑性向上剤を含ませることができる。添加処理したディーゼル燃料組成物においては、潤滑性向上剤は、好都合には、１０００ｐｐｍｗ未満、好ましくは５０〜１０００ｐｐｍｗの間、より好ましくは７０〜１０００ｐｐｍｗの間の濃度で存在する。好適な商業的に入手できる潤滑性向上剤としては、エステル及び酸ベースの添加剤が挙げられる。他の潤滑性向上剤は、特許文献において、特に低イオウ含量のディーゼル燃料におけるそれらの使用に関しては、例えば
・Danping Wei及びH.A. Spikesによる論文："The Lubricity of Diesel Fuels", Wear, III (1986) 217-235；
・ＷＯ−Ａ−９５／３３８０５：低イオウ燃料の潤滑性を向上させるための低温流動性改良剤；
・ＵＳ−Ａ−５４９０８６４：低イオウディーゼル燃料用の耐摩耗潤滑添加剤としての特定のジチオリン酸ジエステル−ジアルコール；及び
・ＷＯ−Ａ−９８／０１５１６：特に低イオウディーゼル燃料において耐摩耗潤滑効果を与えるための、少なくとも１つのカルボキシル基がそれらの芳香核に結合している特定のアルキル芳香族化合物；
に記載されている。
【００８６】
また、ディーゼル燃料組成物は、消泡剤を、より好ましくは防錆剤及び／又は腐食抑制剤及び／又は潤滑性向上添加剤と組み合わせて含むことが好ましい可能性もある。
【００８７】
他に示さない限りにおいて、添加処理したディーゼル燃料組成物中のそれぞれのかかる随意的な添加剤成分の（活性物質）濃度は、好ましくは１００００ｐｐｍｗ以下、より好ましくは０．１〜１０００ｐｐｍｗ、有利には０．１〜３００ｐｐｍｗ、例えば０．１〜１５０ｐｐｍｗの範囲である。
【００８８】
ディーゼル燃料組成物中における任意の防曇剤の（活性物質）濃度は、好ましくは０．１〜２０ｐｐｍｗ、より好ましくは１〜１５ｐｐｍｗ、更により好ましくは１〜１０ｐｐｍｗ、特に１〜５ｐｐｍｗの範囲である。存在する任意の着火改善剤（例えば２−ＥＨＮ）の（活性物質）濃度は、好ましくは２６００ｐｐｍｗ以下、より好ましくは２０００ｐｐｍｗ以下、更により好ましくは３００〜１５００ｐｐｍｗである。ディーゼル燃料組成物中における任意の洗浄剤の（活性物質）濃度は、好ましくは５〜１５００ｐｐｍｗ、より好ましくは１０〜７５０ｐｐｍｗ、最も好ましくは２０〜５００ｐｐｍｗの範囲である。
【００８９】
例えばディーゼル燃料組成物の場合には、燃料添加剤混合物は、通常は洗浄剤を、場合によっては上記に記載した他の成分、並びに、鉱油、Shell companiesによって"SHELLSOL"の商標で販売されているもののような溶媒、エステル、及び特にアルコール、例えばヘキサノール、２−エチルヘキサノール、デカノール、イソトリデカノールのような極性溶媒、及びShell companiesによって"LINEVOL"、特にLINEVOL 79アルコール（Ｃ７〜９第１級アルコールの混合物である）の商標で販売されているもののようなアルコール混合物、或いは商業的に入手できるＣ１２〜１４アルコール混合物であってよいディーゼル燃料相溶性の希釈剤と一緒に含む。
【００９０】
ディーゼル燃料組成物中における添加剤の全含量は、好適には０〜１００００ｐｐｍｗの間、好ましくは５０００ｐｐｍｗより低くてよい。
【００９１】
上記において、成分の量（濃度、体積％、ｐｐｍｗ、重量％）は、活性物質のもの、即ち揮発性溶媒／希釈材料を除外したものである。
【００９２】
本発明の液体燃料組成物は、必須成分の１種類以上の有機ＵＶフィルター化合物を、内燃エンジンにおいて用いるのに好適なディーゼル基燃料と混合することによって製造される。必須成分の燃料添加剤を混合する基燃料はディーゼルであるので、製造される液体燃料組成物はディーゼル組成物である。
【００９３】
驚くべきことに、イミダゾール類、トリアジン類、トリアゾン類、及びトリアゾール類、並びにこれらの混合物から選択される１種類以上の有機ＵＶフィルター化合物を液体燃料組成物中において用いると、増加したセタン価の観点、並びに一般的に調整された着火遅れ及び／又は調整された燃焼期間などによる燃焼改善の観点での利益が提供されることが見出された。
【実施例】
【００９４】
本発明は以下の実施例から更に理解される。他に示さない限りにおいて、実施例において開示される全ての量及び濃度は、配合燃料組成物全体の重量を基準とするものである。
【００９５】
幾つかの有機ＵＶフィルター化合物を、ＥＮ−５９０に準拠する標準的な低イオウディーゼル燃料中に５０００ｐｐｍ及び５００ｐｐｍでブレンドした。実施例において用いた有機ＵＶフィルター化合物は、フェニルベンズイミダゾールスルホン酸（DSMからParsol HSの商品名で商業的に入手できる）、ビスエチルヘキシルオキシフェノールメトキシフェニルトリアジン（BASFからTinasorb Sの商品名で商業的に入手できる）、ドロメトリゾール（BASFからTinuvin Pの商品名で商業的に入手できる）、及びエチルヘキシルトリアゾン（BASFからUvinul T150の商品名で商業的に入手できる）であった。それぞれのディーゼル燃料組成物は、これらの有機ＵＶフィルター化合物の１つを５０００ｐｐｍ及び５００ｐｐｍの処理率で含んでいた。
【００９６】
幾つかのエンジン運転条件下において、有機ＵＶフィルター化合物は、ディーゼル基燃料のセタン価の増加を与えることができ、且つ着火遅れ、ピーク圧力、及び／又は燃焼期間を調整することができた。
以下、出願時の特許請求の範囲の内容を記載する。
［１］
イミダゾール類、トリアジン類、トリアゾン類、及びトリアゾール類、並びにこれらの混合物から選択される有機ＵＶフィルター化合物の、ディーゼル燃料組成物における燃焼改善剤としての使用。
［２］
ディーゼル燃料組成物の着火遅れを調整する目的の、前記１に記載の有機ＵＶフィルター化合物の使用。
［３］
ディーゼル燃料組成物の燃焼期間を調整する目的の、前記１に記載の有機ＵＶフィルター化合物の使用。
［４］
ディーゼル燃料組成物のセタン価を増加させる目的の、前記１に記載の有機ＵＶフィルター化合物の使用。
［５］
（ａ）内燃エンジンにおいて用いるのに好適なディーゼル基燃料；
（ｂ）液体燃料組成物の重量基準で１０ｐｐｍｗ〜２重量％の範囲の、イミダゾール類、トリアジン類、トリアゾン類、及びトリアゾール類、並びにこれらの混合物から選択される１種類以上の有機ＵＶフィルター化合物；
を含む液体燃料組成物。
［６］
イミダゾール類が、ジナトリウムフェニルジベンジルイミダゾールテトラスルホネート、エチルヘキシルジメトキシベンジリデンジオキソイミダゾリンプロピオネート、フェニルベンズイミダゾールスルホン酸、及びこれらの混合物から選択される、前記１〜５のいずれかに記載の液体燃料組成物。
［７］
トリアジン類がフェニルトリアジン類から選択される、前記１〜５のいずれかに記載の液体燃料組成物。
［８］
フェニルトリアジン類が、ビスエチルヘキシルオキシフェノールメトキシフェニルトリアジン、ビスベンゾオキサゾリルフェニルエチルヘキシルアミノ、及びこれらの混合物から選択される、前記７に記載の液体燃料組成物。
［９］
トリアゾン類が、ジエチルヘキシルブタミドトリアゾン、エチルヘキシルトリアゾン、及びこれらの混合物から選択される、前記１〜５のいずれかに記載の液体燃料組成物。
［１０］
トリアゾール類が、ドロメトリゾール、及びエチレンビスベンゾトリアゾリルテトラメチルブチルフェノール、並びにこれらの混合物から選択される、前記１〜５のいずれかに記載の液体燃料組成物。
［１１］
ディーゼル燃料組成物の着火遅れを調整し、及び／又はセタン価を増加させ、及び／又は燃焼期間を調整し、および／又はピーク圧力を調整する方法であって、イミダゾール類、トリアジン類、トリアゾン類、及びトリアゾール類、並びにこれらの混合物から選択される所定量の有機ＵＶフィルター化合物を組成物に加えることを含む上記方法。